(57)【要約】【課題】  電気ノイズシールドの効果を高めた光トランシーバを提供する。【解決手段】  光コネクタが挿入されるための断面角形のレセプタクル１，２を形成した金属製筐体３に略円柱状の光モジュール４，５を収容し、この光モジュール４，５の光軸が通る端面１５，１６を上記レセプタクル１，２に臨ませた光トランシーバにおいて、このレセプタクル１，２と上記光モジュール４，５との間に上記光軸の周囲を覆う金属製のシールド板６を設け、このシールド板６を曲げることにより、上記筐体３に付勢されて接するバネ性接地部１４を形成したので、電気ノイズシールドの効果が高まる。【選択図】      図１
2005148629.tif 000002
【特許請求の範囲】
【請求項１】
光コネクタが挿入されるための断面角形のレセプタクルを形成した金属製筐体に略円柱状の光モジュールを収容し、この光モジュールの光軸が通る端面を上記レセプタクルに臨ませた光トランシーバにおいて、このレセプタクルと上記光モジュールとの間に上記光軸の周囲を覆う金属製のシールド板を設け、このシールド板を曲げることにより、上記筐体に付勢されて接するバネ性接地部を形成したことを特徴とする光トランシーバ。
【請求項２】
上記シールド板の両端を直角よりも広い角度で折り曲げてバネ性接地部を形成したことを特徴とする請求項１記載の光トランシーバ。
【請求項３】
上記折り曲げによるバネ性接地部は、それぞれ独立したバネとして働く複数のヒレを有することを特徴とする請求項２記載の光トランシーバ。
【請求項４】
上記シールド板を交互に反対側に曲げて波形のバネ性接地部を形成したことを特徴とする請求項１記載の光トランシーバ。
【発明の詳細な説明】
【技術分野】
【０００１】
本発明は、金属製筐体に光モジュールを収容した光トランシーバに係り、電気ノイズシールドの効果を高めた光トランシーバに関する。
【背景技術】
【０００２】
光トランシーバは、１つの筐体内に少なくとも光送信モジュール及び光受信モジュール（合わせて光モジュールと呼ぶ）を収容することにより、光通信の１チャンネル分を１つのユニットとして提供するものである。さらには、これら光モジュールが送受する信号を制御する通信制御回路をも同一筐体に収容することにより、光モジュールの物理的な仕様によらず、上位機器とのインタフェースを画一化することができる。
【０００３】
図５に示されるように、上位機器である多チャンネル中継装置等の通信機器５１の正面パネル５２には光トランシーバの差し込み口５３が多数設けられ、これらの差し込み口５３にそれぞれ光トランシーバを差し込んで使用することができる。この差し込み口５３から外に出ている光トランシーバの頭部７には、伝送路である光ファイバの光コネクタを挿入するためのレセプタクル１，２が形成される。このレセプタクル１，２に光コネクタを挿入したときに、光トランシーバ内の光モジュールの光軸と光コネクタ側の光軸とが一致して光結合を図ることができる。
【０００４】
光コネクタが角柱状に形成され、その光コネクタの端面に光ファイバの端面或いはレンズによる光透過窓が位置している。これに対応し、光モジュールの方も光軸が通っている端面をレセプタクルに臨ませて配置される。
【０００５】
【特許文献１】特開２０００−３１５８２１号公報
【発明の開示】
【発明が解決しようとする課題】
【０００６】
光トランシーバの筐体は、電気ノイズ（電磁波、静電気）の防止と放熱のために亜鉛若しくはアルミのダイカストで作られている。特に、電気ノイズの防止は、近年のように通信が高速化されるに伴い、いっそう重要になっている。そこで、筐体は、できるだけ隙間のない構造に作られている。
【０００７】
しかし、レセプタクルと光モジュールとの間には隙間が生じることが避けられない。なぜなら、レセプタクルは光コネクタの形状に合わせて断面が角形であるのに対し、光モジュールは断面が円形に作られているからである。
【０００８】
また、光モジュールの端面には、光軸を光モジュール全体の軸心に合わせるためのシェルと呼ばれる管体が取り付けられている場合がある。このシェルの外周より内側は光の通路であるが、シェルの外周の外側は光通信には寄与しない。にもかかわらず、シェルの外周からレセプタクルまでの空間は隙間になっており、電気ノイズの防止対策上の盲点となっている。
【０００９】
レセプタクルと光モジュールとの間に、光軸を邪魔しないような穴あきシールド板を設置してもよいが、この場合、シールド板を筐体に固定するのが困難であると共に、シールド板と筐体との電気的導通を強固にすることも困難である。
【００１０】
そこで、本発明の目的は、上記課題を解決し、電気ノイズシールドの効果を高めた光トランシーバを提供することにある。
【課題を解決するための手段】
【００１１】
上記目的を達成するために本発明は、光コネクタが挿入されるための断面角形のレセプタクルを形成した金属製筐体に略円柱状の光モジュールを収容し、この光モジュールの光軸が通る端面を上記レセプタクルに臨ませた光トランシーバにおいて、このレセプタクルと上記光モジュールとの間に上記光軸の周囲を覆う金属製のシールド板を設け、このシールド板を曲げることにより、上記筐体に付勢されて接するバネ性接地部を形成したものである。
【００１２】
上記シールド板の両端を直角よりも広い角度で折り曲げてバネ性接地部を形成してもよい。
【００１３】
上記バネ性接地部は、それぞれ独立したバネとして働く複数のヒレを有してもよい。
【００１４】
上記シールド板を交互に反対側に曲げて波形のバネ性接地部を形成してもよい。
【発明の効果】
【００１５】
本発明は次の如き優れた効果を発揮する。
【００１６】
（１）電気ノイズシールドの効果が高められる。
【発明を実施するための最良の形態】
【００１７】
以下、本発明の一実施形態を添付図面に基づいて詳述する。
【００１８】
図１に示されるように、本発明に係る光トランシーバは、光コネクタ（図示せず）が挿入されるための断面角形のレセプタクル１，２を形成した金属製筐体３に略円柱状の光モジュール４，５を収容し、この光モジュール４，５の光透過窓が形成されている端面をレセプタクル１，２に臨ませたものであって、これらのレセプタクル１，２と光モジュール４，５との間に光軸の周囲を覆う金属製のシールド板６を設けたものである。
【００１９】
筐体３は、全体的に略直方体状に形成されている。筐体４は、レセプタクル１，２の入り口が形成された頭部７と、この頭部７と一体的に作られレセプタクル１，２の延長部、底面及び側壁で囲まれた収容部８と、この収容部８の上部を閉じる上蓋９とから構成されている。収容部８には、光モジュール４，５だけでなく、これら光モジュール４，５が送受する信号を制御する通信制御回路基板１０を収容することができる。
【００２０】
図２に示されるように、光モジュール４，５は端面（図３参照）から光軸方向に延びたシェル１１，１２を有し、このシェル１１，１２をレセプタクル１，２に臨ませてレセプタクル１，２の延長部に収容するようになっている。一方、シールド板６はレセプタクル１，２の延長部と収容部８の境界に配置される。このために、シールド板６にはシェルが貫通する丸穴（図３参照）が形成されている。
【００２１】
図２においては、光モジュール４，５とシールド板６だけが組み合わされた状態が示されているが、実際には、光モジュール４，５とブロック１３を組み合わせ、このブロック１３の端面にシールド板６を被せるようにして組み立てる。このブロック１３は筐体３とは別体で構成され、光モジュール４，５及びシールド板６と組み合わせてから、収容部８に収容するようになっている。ブロック１３は、上下に分割形成されており、図２には下ブロックのみが示されている。この下ブロック及び図示しない上ブロックには光モジュール４，５の円柱状の胴部を固定するための断面半円形の溝が形成されており、下ブロックの溝と上ブロックの溝で光モジュール４，５を挟んで保持することができる。
【００２２】
なお、ブロック１３は使用せず、収容部８内に下ブロックと同様の溝を一体成型し、上蓋９の下面にも上ブロックと同様の溝を一体成型しておいてもよい。ブロック１３を使用しない形態については後述する。
【００２３】
シールド板６は、ブロック１３の端面に密着する平面部分の上下両端に、筐体の底面と上蓋９のそれぞれに接するバネ性接地部１４が形成されている。バネ性接地部１４は、シールド板６の上辺と下辺を光モジュール４，５の胴部がある方向に折り曲げて形成される。バネ性接地部１４の折り曲げ角は９０度よりも少し開いており、上蓋９を閉じたときに、このバネ性接地部１４が付勢されたバネとして働き、底面や上蓋９に対して確実に接して電気的導通が得られるようになっている。
【００２４】
図示した形態では、バネ性接地部１４は、適宜の間隔をあけて飛び飛びに形成されている。即ち、バネ性接地部１４は、複数のヒレを有する。これらのヒレの一つ一つが９０度よりも少し開いた折り曲げ角を有し、互いに独立したバネとして働くので、各々のヒレが底面や上蓋９に対して接することで、より強固な電気的導通が期待できる。
【００２５】
バネ性接地部は、シールド板６の平面部分の上下両端ではなく、幅方向両端に形成してもよい。
【００２６】
図３に、シールド板６と光モジュール４，５を拡大して示す。
【００２７】
光モジュール４，５は、一方が光送信モジュール、他方が光受信モジュールであって内容物や品番が異なるのはもとより製造メーカも同じとは限らないから、寸法や微細な形状も異なるが、ここでは同形同大としておく。光モジュール４，５の光軸は、光モジュール４，５の胴体の中心軸に位置しているので、光トランシーバの組み立てに当たっては、光モジュール４，５の胴体の中心軸が図１，２のレセプタクル１，２の中心に位置するように位置合わせすればよい。光モジュール４，５の端面１５，１６からシェル１１，１２が軸方向に突き出しており、このシェル１１，１２もモジュール４，５の胴体と同軸に位置している。シェル１１，１２の径方向内側は光軸が通る面１７，１８となっている。
【００２８】
シールド板６には、シェル１１，１２より若干のクリアランスだけ径が大きい穴１９，２０が形成されている。穴１９，２０の中心位置は図２に示したブロック１３の溝の中心に合わせてある。従って、光モジュール４，５とブロック１３を組み合わせ、このブロック１３の端面にシールド板６を被せると、シェル１１，１２がちょうど穴１９，２０に嵌ることになる。
【００２９】
本発明の作用効果を説明する。
【００３０】
図１に示されるように、光モジュール４，５とブロック１３（図１では省略してある）とシールド板６を組み合わせて筐体３の収容部８に収容し、上蓋９を閉じると、光トランシーバが組み上がる。このとき、バネ性接地部１４の折り曲げ角が９０度よりも少し開いているので、バネ性接地部１４が筐体３の底面及び上蓋９に対して確実に接し、シールド板６と筐体３との電気的導通が得られる。レセプタクル１，２が開口している筐体３の正面から見ると、図４に示されるように、シェル１１，１２の外周からレセプタクル１，２の壁までの間がシールド板６で覆われている。従って、この部分からの電気ノイズの侵入・漏洩が防止される。シェル１１，１２の外周の内側は、光透過窓１７，１８であるからシールドを設けることはできないが、背景技術では無対策であった光軸の通る面１７，１８の周囲を本発明によりシールド板６で覆うことができた。
【００３１】
図５から分かるように、レセプタクル１，２は、通信機器５１の正面パネル５２から外へ突き出している光トランシーバの頭部７に開口しているため、電磁波ノイズが最も出入りしやすい部位であると共に、オペレータが光コネクタを挿抜するので静電気の放電も起きやすい部位である。この部位にシールドが施された価値は大きい。
【００３２】
また、このシールド板６の取り付けは、シェル１１，１２を挿通するだけでシールド板６が脱落しない状態となり、接着やネジ止めをすることなく、筐体３の収容部８に供給することができる。さらに、上蓋９を閉じるだけでバネ性接地部１４が押さえつけられるので、溶接やネジ止めをすることなく、筐体３への固定と電気的導通が達成される。
【００３３】
図１〜図３においては、光モジュール４，５とシールド板６との位置関係を明確にするためブロック１３を省略して説明した。ここでは、ブロック１３について説明を加えておく。
【００３４】
図６に示されるように、本発明に係る光トランシーバは、光モジュール４，５をそれぞれ嵌合して保持するブロック１３と、このブロック１３の端面に接するシールド板６と、このシールド板６付きのブロック１３を位置決めして収容する筐体３とを有する。
【００３５】
図７に示されるように、ブロック１３は、光モジュール４，５の胴部がそれぞれ嵌合される２つの保持用溝を内部に有する。光モジュール４，５は、それぞれシェル１１，１２がブロック１３から露出しており、これらシェル１１，１２の中心に光軸を有する。
【００３６】
ブロック１３は、全体的には略直方体状に形成されており、詳細には、底面７１と天面７２とが互いに平行、前端面７３は底面７１及び天面７２に対して直角、後部段差面７４が前端面７３に対して平行、両側面７５，７６は底面７１及び天面７２に対しても前端面７３及び後部段差面７４に対しても直角である。光モジュール４，５は、それぞれの光軸が底面７１に対して平行に並ぶよう配置されている。ブロック１３の外形は、ほとんど上下対称な形状に形成されている。
【００３７】
ブロック１３は、光モジュール４，５の並び方向に沿った面を閉じ合わせ面（閉じ合わせによる線７７を示しておく）として上半ブロック７８と下半ブロック７９とに分割された半割ブロックである。半割といっても、正確に２等分である必要はなく、閉じ合わせ可能に２つに分かれていればよい。
【００３８】
これら上半ブロック７８と下半ブロック７９とで光モジュール４，５を挟み込み、前端面７３にシールド板６を合わせると図７のようになる。シールド板６の上端に形成されたバネ性接地部１４の各ヒレ１４ａは、ブロック１３の天面７２に形成された微小段差７２ａの上方に被さり、先端の方は天面７２よりも上に出ている。この図では隠れているが、シールド板６の下端に形成された各ヒレも同様に底面７１に形成された微小段差の下方に被さり、先端の方は底面７１よりも下に出ている。
【００３９】
このシールド板６付きのブロック１３を図６のように筐体３の収容部８に落とし込む。このときブロック１３の各面７１〜７６が収容部８の底面及び側壁によって（天面７２は上蓋９によって）位置決めされると共に固定される。このとき、シールド板６がバネ性接地部１４によって筐体３に対して固定されかつ電気的に導通されることは既に説明したとおりである。
【００４０】
次に、ブロックを使用しない光トランシーバにおける本発明の実施の形態を説明する。
【００４１】
図８に示されるように、光トランシーバの筐体８１は図１の筐体３とほとんど同形に形成され、相違点だけ述べると、収容部８２には図１で用いたブロック１３の下ブロックと同様の溝を有するステー８３が一体成型されているステー８３は、頭部８４から延びるレセプタクル１，２の延長部８５に対して隙間８６を隔てて配置されている。図示しない上蓋の下面にも上ブロックに相当するステーを一体成型してある。
【００４２】
この形態では、これまで説明した光モジュール４，５をブロックには入れずに、直接筐体８１と上蓋とで挟み込んで固定するが、その際、シールド板６が隙間８６に収容される。図９にその収容された結果を示す。図示のように、光モジュール４は筐体８１のステー８３と上蓋９１のステー９２とによって堅固に保持されている。一方、シールド板６は、上下のバネ性接地部１４が筐体８１と上蓋９１とにそれぞれ付勢されて接している。また、図から分かるように、光モジュール４と筐体８１及び上蓋９１との間には余分なスペースがほとんど無く、シールド板６にバネ性接地部１４が無ければシールド板６を固定したり導通させることが困難である。本発明は、バネ性接地部１４を設けたので、固定も導通も単に筐体８１に収容して上蓋９１を閉じるだけで容易に達成される。
【００４３】
次に、バネ性接地部の他の形態を説明する。
【００４４】
図１０に、シールド板と光モジュール４，５を拡大して示す。光モジュール４，５については図３で詳しく説明したので、ここでは説明を省く。シールド板１０１は、平板を交互に反対側に緩やかに曲げたものである。この交互の曲げにより波形のバネ性接地部１０２が形成されている。
【００４５】
このシールド板１０１を光モジュール４，５と共に、図８で説明した筐体８１に収容すると、バネ性接地部１０２の山の部分と谷の部分がそれぞれ光モジュール４，５と延長部８５との隙間８６に挟まれる。隙間８６はバネ性接地部１０２の自然状態の時の厚みよりもやや狭くしておくとよい。これにより、バネ性接地部１０２が付勢されて延長部８５に接するので、固定と導通を図ることができる。
【図面の簡単な説明】
【００４６】
【図１】本発明の一実施形態を示す光トランシーバの上蓋が開いている斜視図である。
【図２】図１の光トランシーバの分解斜視図である。
【図３】本発明におけるシールド板と光モジュールの拡大斜視図である。
【図４】本発明の光トランシーバの正面図である。
【図５】光トランシーバを装着する通信機器の斜視図である。
【図６】本発明の一実施形態を示す光トランシーバの上蓋が開いている斜視図である。
【図７】本発明におけるシールド板とブロックの拡大斜視図である。
【図８】本発明の光トランシーバの筐体の斜視図である。
【図９】本発明の光トランシーバの側断面図である。
【図１０】本発明におけるシールド板と光モジュールの拡大斜視図である。
【符号の説明】
【００４７】
１，２  レセプタクル
３  筐体
４，５  光モジュール
６  シールド板
９  上蓋
１１，１２  シェル
１７，１８  光透過窓
１９，２０  丸穴
【図１】
2005148629.tif 000003
【図２】
2005148629.tif 000004
【図３】
2005148629.tif 000005
【図４】
2005148629.tif 000006
【図５】
2005148629.tif 000007
【図６】
2005148629.tif 000008
【図７】
2005148629.tif 000009
【図８】
2005148629.tif 000010
【図９】
2005148629.tif 000011
【図１０】
2005148629.tif 000012